(57)【要約】【課題】設置現場までの搬送時や搬送後運転開始前の熱交換器の伝熱フィンの保護のために必要なコストや作業を抑制可能な、冷凍装置の室外ユニットを提供する。【解決手段】空気調和装置の室外ユニット２は、伝熱フィンを有する熱交換器と、熱交換器を収容するハウジング４０と、側面保護材５０と、を備える。側面保護材は、搬送時の伝熱フィンの変形を防止するために、ハウジングの側面において露出する伝熱フィンの外側に配置される。側面保護材の少なくとも外側面５０ａは、防水性を有する。【選択図】図４
2019148358.tif 000002
【特許請求の範囲】
【請求項１】
伝熱フィン（７４）を有する熱交換器（１１）と、
前記熱交換器を収容するハウジング（４０）と、
搬送時の前記伝熱フィンの変形を防止するために、前記ハウジングの側面において露出する前記伝熱フィンの外側に配置される第１保護材（５０）と、
を備え、
前記第１保護材の少なくとも外側の面（５０ａ）は、防水性を有する、
冷凍装置の室外ユニット（２）。
【請求項２】
前記第１保護材は紙製で、前記第１保護材の前記外側の面は表面防水加工されている、
請求項１に記載の冷凍装置の室外ユニット。
【請求項３】
前記第１保護材は、防水性ダンボール製である、
請求項２に記載の冷凍装置の室外ユニット。
【請求項４】
前記第１保護材の厚みは、３ｍｍ以上である、
請求項１から３のいずれか１項に記載の冷凍装置の室外ユニット。
【請求項５】
前記第１保護材の厚みは、５ｍｍ以上である、
請求項４に記載の冷凍装置の室外ユニット。
【請求項６】
前記ハウジングの天面を覆う前記第１保護材とは別の第２保護材（６０）を更に備え、
前記第２保護材は非防水性である、
請求項１から５のいずれか１項に記載の冷凍装置の室外ユニット。
【請求項７】
前記第１保護材は、前記室外ユニットの設置現場への搬送後、少なくとも前記室外ユニットに対する配管接続作業時まで前記伝熱フィンの外側に配置され、
前記第２保護材は、前記室外ユニットの設置現場への搬送後、設置時に取り外される、
請求項６に記載の冷凍装置の室外ユニット。
【請求項８】
前記ハウジングは四角柱形状であり、
前記熱交換器の前記伝熱フィンは、前記ハウジングの少なくとも３つの側面で露出し、
前記第１保護材は、前記ハウジングの前記３つの側面で前記伝熱フィンの外側に配置される、一体形成された部材である、
請求項１から７のいずれか１項に記載の冷凍装置の室外ユニット。
【請求項９】
前記第１保護材は、前記伝熱フィンと対向するとともに外側に露出する保護部（５２ａ，５２ｂ，５２ｃ）と、前記保護部から上方に延びる延伸部（５６ａ，５６ｂ，５６ｃ）と、を有し、
前記延伸部は、前記熱交換器と前記ハウジングの内面との間に挿し込まれる、
請求項１から８のいずれか１項に記載の冷凍装置の室外ユニット。
【発明の詳細な説明】
【技術分野】
【０００１】
本開示は、冷凍装置の室外ユニットに関する。
【背景技術】
【０００２】
従来、搬送時の冷凍装置の室外ユニットの熱交換器の保護のため、例えば特許文献１（特開２００６−１２３９５６号公報）のように、熱交換器の伝熱フィンの外側にダンボール板が梱包材として取り付けられる場合がある。
【発明の概要】
【発明が解決しようとする課題】
【０００３】
ところで、室外ユニットの熱交換器は、設置現場への到着後も、室外ユニットに対する配管接続作業時などに、作業員自身や作業員の保有している工具等が接触し損傷するおそれがある。そのため、室外ユニットの搬送完了後も、暫くの間は熱交換器の保護が図られることが好ましい。
【０００４】
しかし、通常、梱包材に使用されるダンボール板は水に弱く、雨などの影響で劣化するため、通常のダンボール板では、必要な期間、熱交換器を保護できないおそれがある。そのため、冷凍装置の設置現場では、設置現場到着後に梱包材としてのダンボール板を取り外し、その後、別の保護材を熱交換器に取り付けて熱交換器の保護を図っている。
【０００５】
しかし、設置現場到着後に梱包材を取り外し、熱交換器に保護材を別途取り付ける場合、熱交換器の伝熱フィンの保護のために必要なコストや作業が増大するおそれがある。
【課題を解決するための手段】
【０００６】
第１観点の冷凍装置の室外ユニットは、伝熱フィンを有する熱交換器と、熱交換器を収容するハウジングと、第１保護材と、を備える。第１保護材は、搬送時の伝熱フィンの変形を防止するために、ハウジングの側面において露出する伝熱フィンの外側に配置される。第１保護材の少なくとも外側の面は、防水性を有する。
【０００７】
ここでは、第１保護材が防水性を有するため、室外ユニットが設置現場に到着した後も降雨などの水の影響を受けず第１保護材で伝熱フィンの保護を図ることができる。そのため、室外ユニットの設置現場到着後に伝熱フィンを養生するための別部材が不要であり、また、そのような別部材を設置現場で室外ユニットに取り付ける作業が不要となる。つまり、本冷凍装置の室外ユニットでは、伝熱フィンの保護のために必要なコストや作業を低減することができる。
【０００８】
第２観点の冷凍装置の室外ユニットは、第１観点の冷凍装置の室外ユニットであって、第１保護材は紙製で、第１保護材の外側の面は表面防水加工されている。
【０００９】
ここでは、第１保護材が紙製であるため、第１保護材のコストを抑制可能で、又、使用後の第１保護材の廃棄処分費用も抑制することができる。
【００１０】
第３観点の冷凍装置の室外ユニットは、第２観点の冷凍装置の室外ユニットであって、第１保護材は、防水性ダンボール製である。
【００１１】
ここでは、第１保護材が防水性ダンボール製であるため、軽量で比較的高い強度の第１保護材を実現することができる。
【００１２】
第４観点の冷凍装置の室外ユニットは、第１観点から第３観点のいずれかの冷凍装置の室外ユニットであって、第１保護材の厚みは、３ｍｍ以上である。
【００１３】
第５観点の冷凍装置の室外ユニットは、第４観点の冷凍装置の室外ユニットであって、第１保護材の厚みは、５ｍｍ以上である。
【００１４】
ここでは、第１保護材の厚みが比較的厚いため、第１保護材に比較的高い物理的強度をもたせることができる。
【００１５】
第６観点の冷凍装置の室外ユニットは、第１観点から第５観点のいずれかの冷凍装置の室外ユニットであって、第１保護材とは別の第２保護材を更に備える。第２保護材は、ハウジングの天面を覆う。第２保護材は、非防水性である。
【００１６】
ここでは、搬送中にハウジングの天面側を保護する一方で搬送後には不要となる第２保護材に非防水性の材料を用いることで、室外ユニットの費用（室外ユニットの梱包／保護用の部材の費用）を抑制することができる。
【００１７】
第７観点の冷凍装置の室外ユニットは、第６観点の冷凍装置の室外ユニットであって、第１保護材は、室外ユニットの設置現場への搬送後、少なくとも室外ユニットに対する配管接続作業時まで伝熱フィンの外側に配置される。第２保護材は、室外ユニットの設置現場への搬送後、設置時に取り外される。
【００１８】
ここでは、第１保護材が設置現場への搬送時から室外ユニットに対する配管接続作業時まで室外ユニットに装着されているため、設置現場での作業を特に要すること無く、熱交換器の伝熱フィンを保護することができる。
【００１９】
第８観点の冷凍装置の室外ユニットは、第１観点から第７観点のいずれかの冷凍装置の室外ユニットであって、ハウジングは四角柱形状である。熱交換器の伝熱フィンは、ハウジングの少なくとも３つの側面で露出する。第１保護材は、一体形成された部材である。第１保護材は、ハウジングの熱交換器の伝熱フィンが露出している３つの側面で、伝熱フィンの外側に配置される。
【００２０】
ここでは、第１保護材が一体形成された部材であるので、ハウジングの３つの側面で熱交換器の伝熱フィンが露出している場合であっても、室外ユニットの運転開始前に不要になった第１保護材を効率よく取り外すことができる。
【００２１】
第９観点の冷凍装置の室外ユニットは、第１観点から第８観点のいずれかの冷凍装置の室外ユニットであって、第１保護材は、伝熱フィンと対向するとともに外側に露出する保護部と、保護部から上方に延びる延伸部と、を有する。延伸部は、熱交換器とハウジングの内面との間に挿し込まれる。
【００２２】
ここでは、延伸部を熱交換器とハウジングの内面との間に挿入することで、第１保護材を容易にハウジングに固定することができる。
【００２３】
また、ここでは、保護部から上方に延びる延伸部がハウジングの内側に配置されるため、第１保護材の上端面が水に濡れにくく、第１保護材の全体が防水性でない場合であっても第１保護材の劣化を抑制できる。
【図面の簡単な説明】
【００２４】
【図１】一実施形態に係る室外ユニットを含む空気調和装置の概略構成図である。
【図２】図１の空気調和装置の室外ユニットの概略斜視図である。
【図３】図２の室外ユニットが有する熱源側熱交換器の熱交換部の概略的な拡大斜視図である。
【図４】側面保護材が取り付けられた状態の図２の室外ユニットの右側面図である。
【図５】側面保護材が取り付けられた状態の図２の室外ユニットの背面図である。
【図６】側面保護材が取り付けられた状態の図２の室外ユニットの左側面図である。
【図７】室外ユニットに取り付けられる前の展開されたシート状の側面保護材の一例を示す図である。
【図８】室外ユニットに取り付けられる前の展開されたシート状の側面保護材の他の例を示す図である。
【図９】側面保護材及び天面保護材が取り付けられた状態の図２の室外ユニットの背面図である。
【図１０】図２の室外ユニットからの側面保護材の取り外し動作を説明するための図である。
【図１１】複数の空気調和装置の室外ユニットの設置状態の一例を示す図である。
【発明を実施するための形態】
【００２５】
以下に、冷凍装置の室外ユニットの一実施形態に係る、空気調和装置１の室外ユニット２について、図面を参照しながら説明する。
【００２６】
（１）空気調和装置の全体構成
図１は、室外ユニット２を含む空気調和装置１の概略構成図である。空気調和装置１は、冷凍装置の一例である。
【００２７】
空気調和装置１は、蒸気圧縮式の冷凍サイクルを行うことで空調対象空間の冷房及び暖房を行うことが可能な装置である。
【００２８】
空気調和装置１は、主として、室外ユニット２と、利用ユニット３ａ，３ｂと、液冷媒連絡管４及びガス冷媒連絡管５と、制御部２３と、を有している（図１参照）。液冷媒連絡管４及びガス冷媒連絡管５は、室外ユニット２と利用ユニット３ａ，３ｂとを接続する。空気調和装置１では、室外ユニット２と利用ユニット３ａ，３ｂとが冷媒連絡管４，５を介して接続されることで、蒸気圧縮式の冷媒回路６が構成されている（図１参照）。冷媒の種類を限定するものではないが、冷媒回路６にはＲ３２やＲ４１０ＡのようなＨＦＣ冷媒が封入されている。制御部２３は、空気調和装置１の各種機器を制御する。
【００２９】
なお、図１では、空気調和装置１は、１台の室外ユニット２と、２台の利用ユニット３ａ，３ｂとを有するが、台数は例示に過ぎない。空気調和装置１は、複数台の室外ユニットを有してもよいし、１台又は３台以上の利用ユニットを有してもよい。
【００３０】
（２）空気調和装置の詳細構成
（２−１）室外ユニット
図２は、室外ユニット２の概略の外観斜視図である。図３は、室外ユニット２が有する、後述する熱源側熱交換器１１の熱交換部７０の概略的な拡大斜視図である。
【００３１】
ここでは、図１から図３を参照しながら、室外ユニット２を構成する空調に関連する機器について説明する。なお、室外ユニット２の形状／構造や、空気調和装置１の運転開始前に用いられる室外ユニット２の側面保護材５０及び天面保護材６０に関しては後述する。
【００３２】
室外ユニット２は、室外に設置される。そのため、設置場所に設置された室外ユニット２は、降雨等の影響で水に濡れるおそれがある。設置場所を限定するものではないが、室外ユニット２は、例えば、建物の屋上や、建物の壁面近傍等に設置される。
【００３３】
室外ユニット２は、アキュムレータ７と、圧縮機８と、流路切換機構１０と、熱源側熱交換器１１と、熱源側膨張機構１２と、液側閉鎖弁１３と、ガス側閉鎖弁１４と、熱源側ファン１５と、を主に有している（図１参照）。また、室外ユニット２は、これらの機器を収容するハウジング４０を有する（図２参照）。
【００３４】
また、室外ユニット２は、吸入管１７と、吐出管１８と、第１ガス冷媒管１９と、液冷媒管２０と、第２ガス冷媒管２１と、を有する（図１参照）。吸入管１７は、流路切換機構１０と圧縮機８の吸入側とを接続している。吸入管１７には、アキュムレータ７が設けられている。吐出管１８は、圧縮機８の吐出側と流路切換機構１０とを接続している。第１ガス冷媒管１９は、流路切換機構１０と熱源側熱交換器１１のガス側端とを接続している。液冷媒管２０は、熱源側熱交換器１１の液側端と液側閉鎖弁１３とを接続している。熱源側膨張機構１２は、液冷媒管２０に設けられている。第２ガス冷媒管２１は、流路切換機構１０とガス側閉鎖弁１４とを接続している。
【００３５】
圧縮機８は、低圧の冷媒を吸入し圧縮して吐出する装置である。圧縮機８は、インバータ制御される容量調節可能な（モータの回転数を調節可能な）圧縮機であるが、容量一定の圧縮機であってもよい。
【００３６】
流路切換機構１０は、運転モード（冷房運転モード／暖房運転モード）に応じて、冷媒回路６における冷媒の流れ方向を切り換える機構である。本実施形態では、流路切換機構１０は四路切換弁である。ただし、流路切換機構１０は、四路切換弁に限られるものではなく、複数の電磁弁及び配管を組み合わせることで、以下のような冷媒の流れ方向の切り換えを実現できるように構成されてもよい。
【００３７】
冷房運転モードでは、流路切換機構１０は、圧縮機８が吐出する冷媒が熱源側熱交換器１１に送られるように、冷媒回路６における冷媒の流向を切り換える。具体的には、冷房運転モードでは、流路切換機構１０は、吸入管１７を第２ガス冷媒管２１と連通させ、吐出管１８を第１ガス冷媒管１９と連通させる（図１中の実線参照）。暖房運転モードでは、流路切換機構１０は、圧縮機８が吐出する冷媒が利用側熱交換器３２ａ，３２ｂに送られるように、冷媒回路６における冷媒の流向を切り換える。具体的には、暖房運転モードでは、流路切換機構１０は、吸入管１７を第１ガス冷媒管１９と連通させ、吐出管１８を第２ガス冷媒管２１と連通させる（図１中の破線参照）。
【００３８】
熱源側熱交換器１１は、熱交換器の一例である。熱源側熱交換器１１は、冷房運転時には放熱器（凝縮器）として機能し、暖房運転時には吸熱器（蒸発器）として機能する。材質を限定するものではないが、熱源側熱交換器１１は、例えば、アルミニウム製又はアルミニウム合金製である。
【００３９】
熱源側熱交換器１１は、冷媒と室外空気との熱交換が主に行われる熱交換部７０を有する。熱交換部７０は、主として、所定の積層方向（本実施形態では上下方向）に積層された複数段の扁平管７２と、複数の伝熱フィン７４と、を有する（図３参照）。
【００４０】
扁平管７２は、伝熱面となる鉛直方向を向く平面部７２ａと、内部に形成されている冷媒が流れる多数の小さな貫通孔からなる通路７２ｂと、を有する扁平多穴管である（図３参照）。各扁平管７２は、平面視において延びる方向を変化させながら、熱交換部７０の一方の端部（第１端部７０ａ）から、熱交換部７０の他方の端部（第２端部７０ｂ）へと略水平方向に延びる。具体的には、各扁平管７２は、室外ユニット２の右前側の第１端部７０ａから右方に延び、室外ユニット２の右前方角部近傍で延びる方向を変えて後方へと延び、室外ユニット２の右後方角部近傍で延びる方向を変えて左方へと延び、室外ユニット２の左後方角部近傍で延びる方向を変えて前方へと第２端部７０ｂまで延びる（図２参照）。なお、ここでの「左」、「右」、「前」、「後」という表現は、図２中に示された矢印の方向に従う。
【００４１】
伝熱フィン７４は、上下方向（積層方向）に隣り合う扁平管７２の間を、空気が流れる複数の通風路に区画している。伝熱フィン７４には、複数の扁平管７２を差し込めるように、水平に細長く延びる複数の切り欠き部７４１が形成されている（図２参照）。つまり、伝熱フィン７４は、扁平管７２に差し込まれる差し込み式のフィンである。伝熱フィン７４の切り欠き部７４１の上下方向の幅は、扁平管７２の上下方向の高さ（厚み）とほぼ一致している。伝熱フィン７４の切り欠き部７４１は、上下方向（扁平管７２の積層方向）に所定の間隔を空けて形成されている。切り欠き部７４１は、水平方向であって、かつ扁平管７２の長手方向と交差する方向に延びるように形成される。切り欠き部７４１の延びる方向は、平面視において、後述する熱源側ファン１５の生成する空気の流れ方向（通風方向）と略一致している（図２参照）。切り欠き部７４１は、扁平管７２が通風方向の風下側（外部側）から風上側（内部側）に向かって挿入されるように風下側に開口している。
【００４２】
なお、熱源側熱交換器１１の構造は、ここで説明した構造に限定されるものではなく、例えば、円管状の伝熱管と多数のフィンとにより構成されるクロスフィン式のフィン・アンド・チューブ型熱交換器であってもよい。
【００４３】
熱源側膨張機構１２は、冷媒を膨張させる機構である。限定するものではないが、本実施形態では、熱源側膨張機構１２は、開度調節可能な電子膨張弁である。
【００４４】
熱源側ファン１５は、外部から室外ユニット２内に流入し、熱源側熱交換器１１を通過し、室外ユニット２外へ流出する空気の流れを生成する送風機である。本実施形態では、熱源側ファン１５はプロペラファンである。ただし、熱源側ファン１５は、プロペラファンに限定されるものではなく、気流を生成する他のタイプのファンであってもよい。
【００４５】
（２−２）利用ユニット
利用ユニット３ａ，３ｂは、空調対象空間に温度や湿度が調整された空気を吹き出すユニットである。利用ユニット３ａ，３ｂは、例えば、空調対象空間である居室内や、居室の天井裏空間等に設置される。
【００４６】
利用ユニット３ａは、主として、利用側膨張機構３１ａと、利用側熱交換器３２ａと、利用側ファン３３ａと、を有している（図１参照）。利用ユニット３ｂは、主として、利用側膨張機構３１ｂと、利用側熱交換器３２ｂと、利用側ファン３３ｂと、を有している（図１参照）。
【００４７】
利用側膨張機構３１ａ，３１ｂは、冷媒を膨張させる機構である。限定するものではないが、本実施形態では、利用側膨張機構３１ａ，３１ｂは、開度調節可能な電子膨張弁である。
【００４８】
利用側熱交換器３２ａ，３２ｂは、冷房運転時には吸熱器（蒸発器）として機能して室内空気を冷却し、暖房運転時には冷媒の放熱器（凝縮器）として機能して室内空気を加熱する熱交換器である。利用側熱交換器３２ａ，３２ｂの液側は液冷媒連絡管４に接続されており、利用側熱交換器３２ａ，３２ｂのガス側はガス冷媒連絡管５に接続されている。利用側熱交換器３２ａ，３２ｂは、伝熱管（図示省略）と多数のフィン（図示省略）とにより構成されるクロスフィン式のフィン・アンド・チューブ型熱交換器である。
【００４９】
利用側ファン３３ａ，３３ｂは、利用ユニット３ａ，３ｂ内に室内の空気を吸入し、利用側熱交換器３２ａ，３２ｂにおいて吸入した空気と冷媒とを熱交換させ、室内に冷媒との熱交換後の空気を供給する。限定するものではないが、本実施形態では、利用側ファン３３ａ，３３ｂは、遠心ファンである。
【００５０】
（２−３）冷媒連絡管
冷媒連絡管４、５は、空気調和装置１を設置する際に、設置現場で施工される冷媒管である。液冷媒連絡管４の一端は、室外ユニット２の液側閉鎖弁１３に接続され、液冷媒連絡管４の他端は、利用ユニット３ａ，３ｂの利用側膨張機構３１ａ、３１ｂの液側に接続される（図１参照）。ガス冷媒連絡管５の一端は、室外ユニット２のガス側閉鎖弁１４に接続され、ガス冷媒連絡管５の他端は、利用ユニット３ａ，３ｂの利用側熱交換器３２ａ、３２ｂのガス側に接続される（図１参照）。
【００５１】
（２−４）制御部
制御部２３は、室外ユニット２や利用ユニット３ａ，３ｂに設けられた、ＣＰＵ，ＲＯＭ及びＲＡＭ等を有する制御基板（図示せず）が通信可能に接続されることによって構成されている。なお、図１では、便宜上、制御部２３を、室外ユニット２や利用ユニット３ａ，３ｂとは離れた位置に図示している。
【００５２】
制御部２３は、図１に点線で示したように空気調和装置１の構成機器と電気的に接続されている。制御部２３は、ＣＰＵが空気調和装置１の運転制御のためのプログラムを実行することで、図示しないリモコンからの操作や、図示しないセンサの計測値等に基づき、空気調和装置１の構成機器の動作を制御する。制御部２３により制御される機器には、例えば、室外ユニット２の圧縮機８、流路切換機構１０、熱源側膨張機構１２及び熱源側ファン１５や、利用ユニット３ａ，３ｂの利用側膨張機構３１ａ，３１ｂ及び利用側ファン３３ａ，３３ｂを含む。
【００５３】
（２−５）空気調和装置の動作
空気調和装置１の動作について概略を説明する。
【００５４】
空気調和装置１では、冷房運転と暖房運転とが行われる。冷房運転中には、冷媒回路６を、圧縮機８、熱源側熱交換器１１、熱源側膨張機構１２及び利用側膨張機構３１ａ、３１ｂ、利用側熱交換器３２ａ、３２ｂの順に冷媒が循環する。一方、暖房運転中には、冷媒回路６を、圧縮機８、利用側熱交換器３２ａ、３２ｂ、利用側膨張機構３１ａ、３１ｂ及び熱源側膨張機構１２、熱源側熱交換器１１の順に冷媒が循環する。また、空気調和装置１では、暖房運転時に、暖房運転を一旦中断して、熱源側熱交換器１１に付着した霜を融解させるための除霜運転が行われる。本実施形態では、除霜運転として、冷媒回路６を冷房運転時と同様に冷媒を循環させる逆サイクル除霜運転が行われる。なお、冷房運転、暖房運転及び除霜運転時には、制御部２３が空気調和装置１の構成機器を制御する。
【００５５】
空気調和装置１の動作は、一般に知られているため、ここでは空気調和装置１の動作の詳細についての説明は省略する。
【００５６】
（３）室外ユニットの形状／構造
室外ユニット２の形状や構造について、図面を参照しながら説明する。なお、ここでは、後述する側面保護材５０や天面保護材６０が取り付けられていない状態の室外ユニット２について説明する。
【００５７】
なお、以下の説明では、方向や位置関係を説明するために、「上」、「下」、「左」、「右」、「前」、「後」、「前面」、「背面」といった表現を用いる場合があるが、これらの表現が示す方向は、特に断りのない限り図面中に示された矢印の方向に従う。
【００５８】
室外ユニット２は、上述したように、室外ユニット２の各種構成を収容するハウジング４０を有する。ハウジング４０は、概ね四角柱形状（直方体形状）に形成されている。室外ユニット２は、ハウジング４０の側面から空気を吸い込んで、ハウジング４０の天面から空気を吹き出す、上吹き型の熱交換ユニットである。
【００５９】
ハウジング４０は、主として、左右方向に延びる一対の据付脚４１と、一対の据付脚４１上に架け渡される底フレーム４２と、支柱４３と、ファンモジュール４４と、側面パネル４５と、を有している（図２〜図４参照）。支柱４３は、底フレーム４２の角部から鉛直上方に延びる（図２参照）。ファンモジュール４４は、支柱４３の上端に取り付けられる（図２参照）。側面パネル４５は、板状の部材である。
【００６０】
ハウジング４０の側面（ここでは、前面、背面及び左右両側面）には、空気の空気取込口が形成される。また、ハウジング４０の天面（上面）には、空気の空気吹出口４０ｂが形成されている（図２参照）。
【００６１】
空気の空気取込口は、熱源側ファン１５が生成する空気流れによりハウジング４０の外部から内部へと空気を取り込む。空気の空気取込口には、右側面に形成される空気取込口４０ａ１、背面側に形成される空気取込口４０ａ２、左側面に形成される空気取込口４０ａ３、及び前面側に形成される空気取込口４０ａ４を含む（図２参照）。これらの空気取込口４０ａ１，４０ａ２，４０ａ３，４０ａ４のそれぞれには、熱源側熱交換器１１の熱交換部７０の伝熱フィン７４が隣接して配置される。ここでは、ハウジング４０の右側面側で開口する空気取込口４０ａ１に対向して配置される伝熱フィン７４を、伝熱フィン７４の第１部分７４ａと呼ぶ。ハウジング４０の背面側で開口する空気取込口４０ａ２に対向して配置される伝熱フィン７４を、伝熱フィン７４の第２部分７４ｂと呼ぶ。ハウジング４０の左側面側で開口する空気取込口４０ａ３に対向して配置される伝熱フィン７４を、伝熱フィン７４の第３部分７４ｃと呼ぶ。ハウジング４０の正面側で開口する空気取込口４０ａ４に対向して配置される伝熱フィン７４を、伝熱フィン７４の第４部分７４ｄと呼ぶ。
【００６２】
伝熱フィン７４の第１部分７４ａ、第２部分７４ｂ及び第３部分７４ｃは、ハウジング４０の側面において露出する。つまり、熱源側熱交換器１１の伝熱フィン７４は、ハウジング４０の３つの側面（右側面、背面及び左側面）で露出する。なお、伝熱フィン７４がハウジング４０の側面において露出しているとは、伝熱フィン７４の外側に伝熱フィン７４を保護する部材が存在しない状態を意味する。言い換えれば、露出している伝熱フィン７４には、ハウジング４０の外部から直接接触することが容易である。
【００６３】
一方、本実施形態では、伝熱フィン７４の第４部分７４ｄの外側には（伝熱フィン７４の第４部分７４ｄの前方には）、図示しない保護部材が配置されている。保護部材は、例えば、目の比較的粗い格子状の部材である。保護部材は、伝熱フィン７４の第４部分７４ｄに対する接触を抑制しつつ、空気取込口４０ａ４からの空気の流入を妨げない形状・構造に設計されることが好ましい。
【００６４】
底フレーム４２は、ハウジング４０の底面を形成している。底フレーム４２上には、熱源側熱交換器１１、圧縮機８及びアキュムレータ７等が配置されている。底フレーム４２は、熱源側熱交換器１１等の配置されるフレームとしての他、冷房運転や除霜運転時に熱源側熱交換器１１において発生するドレン水を受けるドレンパンとして機能する。
【００６５】
熱源側熱交換器１１は、上述のように、平面視においてハウジング４０の側面に沿うように略四角形形状に形成されている（図２参照）。具体的には、熱源側熱交換器１１の熱交換部７０は、第１端部７０ａから右方へとハウジング４０の前面に沿って延び、室外ユニット２の右前方角部近傍で延びる方向を変えて後方へとハウジング４０の右側面に沿って延び、室外ユニット２の右後方角部近傍で延びる方向を変えて左方へとハウジング４０の背面に沿って延び、室外ユニット２の左後方角部近傍で延びる方向を変えて前方へとハウジング４０の左側面に沿って第２端部７０ｂまで延びる（図２参照）。ただし、室外ユニット２の前方左側及び左方前側には熱交換部７０が配置されず、熱源側熱交換器１１は、平面視において一部（左前方側）が欠落した略四角形形状に形成されている。
【００６６】
熱源側熱交換器１１の上方（ハウジング４０の上部）には、ファンモジュール４４が設けられている（図２参照）。ファンモジュール４４は、上面及び下面が開口した略直方体形状の箱体に熱源側ファン１５が収容された集合体である。ファンモジュール４４の天面の開口は、ハウジング４０の空気吹出口４０ｂである。空気吹出口４０ｂには、吹出グリル４６が設けられている。熱源側ファン１５は、ハウジング４０内において空気吹出口４０ｂに面して配置されている。熱源側ファン１５は、空気をハウジング４０の側面の空気取込口４０ａ１，４０ａ２，４０ａ３，４０ａ４からハウジング４０内に取り込み、ハウジング４０の上部の空気吹出口４０ｂから排出する。
【００６７】
側面パネル４５は、室外ユニット２の側面の一部を覆うように、室外ユニット２に取り付けられている。側面パネル４５は、室外ユニット２の前面を覆う前板４５ａ（図２参照）と、左側面前方側を覆う左側板４５ｂ（図６参照）と、を含む。前板４５ａ及び左側板４５ｂは、底フレーム４２からファンモジュール４４まで鉛直方向に延びる板状部材である（図２参照）。側面パネル４５（前板４５ａ及び左側板４５ｂ）は、熱源側熱交換器１１の熱交換部７０の伝熱フィン７４と対向しない位置（熱交換部７０が配置されていない位置）に配置されている。
【００６８】
（４）側面保護材及び天面保護材
次に、室外ユニット２が有する側面保護材５０及び天面保護材６０について説明する。側面保護材５０は、第１部材の一例であり、天面保護材６０は、第２部材の一例である。
【００６９】
図４は、側面保護材５０が取り付けられた状態の室外ユニット２の右側面図である。図５は、側面保護材５０が取り付けられた状態の室外ユニット２の背面図である。図６は、側面保護材５０が取り付けられた状態の室外ユニット２の左側面図である。図７は、室外ユニット２に取り付けられる前の展開された状態の（シート状の）側面保護材５０の一例を示す図である。図８は、室外ユニット２に取り付けられる前の展開された状態の（シート状の）側面保護材５０の他の例を示す図である。図９は、側面保護材５０及び天面保護材６０が取り付けられた状態の室外ユニット２の背面図である。図１０は、室外ユニット２からの側面保護材５０の取り外し動作を説明するための図である。
【００７０】
側面保護材５０及び天面保護材６０は、空気調和装置１の搬送時等に使用され、空気調和装置１の運転時には不要となる部材である。側面保護材５０及び天面保護材６０が使用される具体的なタイミングについては以下で説明する。
【００７１】
なお、以下で、搬送時、設置時、配管接続作業時という語を使用するが、それぞれ以下の時を意味する。搬送時とは、室外ユニット２を、製造工場や倉庫等の出荷地点から、室外ユニット２を設置する設置場所（空気調和装置１を使用する使用場所）まで搬送する時を意味する。設置時とは、設置場所まで搬送してきた室外ユニット２を、予定された設置位置に設置する（据え付ける）時を意味する。配管接続作業時とは、予定された設置位置に設置された室外ユニット２に、液冷媒連絡管４やガス冷媒連絡管５を接続する作業時を意味する。
【００７２】
なお、以下の説明で、側面保護材５０及び天面保護材６０に関し、「上」、「下」、「左」、「右」、「前」、「後」等の位置や方向を示す表現を用いる場合がある。これらの表現は、特記無き場合、側面保護材５０及び天面保護材６０が室外ユニット２に取り付けられた状態における位置や方向を示すものとする。
【００７３】
（４−１）側面保護材
＜側面保護材の機能＞
側面保護材５０は、熱源側熱交換器１１の伝熱フィン７４の保護装置として機能する。
【００７４】
側面保護材５０は、搬送時に熱源側熱交換器１１の熱交換部７０の伝熱フィン７４の変形や損傷を防止する。具体的には、側面保護材５０は、ハウジング４０の側面において露出する熱源側熱交換器１１の伝熱フィン７４（ここでは伝熱フィン７４の第１部分７４ａ、第２部分７４ｂ及び第３部分７４ｃ）の外側に配置され、伝熱フィン７４の変形や損傷を防止する（図４から図６参照）。つまり、ここでは、側面保護材５０は、ハウジング４０の３つの側面で熱源側熱交換器１１の伝熱フィン７４の外側に配置され、伝熱フィン７４に対する人や物の直接的な接触を抑制するとともに、伝熱フィン７４に加わるおそれのある力を緩衝することで、伝熱フィン７４の変形や損傷を防止する（図４から図６参照）。なお、搬送時に伝熱フィン７４に加わるおそれのある力とは、例えば搬送作業者との接触や、室外ユニット２とともに搬送される搬送物との接触により生じ得る力である。側面保護材５０は、製造工場や倉庫等の出荷地点等において、図４から図６のように、伝熱フィン７４の第１部分７４ａ、第２部分７４ｂ及び第３部分７４ｃの外側を覆うように室外ユニット２に装着される（側面保護材５０の装着方法については後述する）。室外ユニット２は、側面保護材５０が装着された状態で（更には天面保護材６０が装着された図２のような状態で）、設置場所まで搬送される。
【００７５】
また、側面保護材５０は、室外ユニット２の設置現場への搬送後も、所定の期間、熱源側熱交換器１１の熱交換部７０の伝熱フィン７４の変形や損傷を防止することが好ましい。好ましくは、側面保護材５０は、室外ユニット２が設置現場への搬送後、室外ユニット２が予定された設置位置に設置され、更に室外ユニット２に対する配管接続作業が行われる時まで、伝熱フィン７４に対する人や物の直接的な接触を抑制し、伝熱フィン７４に加わるおそれのある力を緩衝することで、熱源側熱交換器１１の熱交換部７０の伝熱フィン７４の変形や損傷を防止することが好ましい（なお、設置現場への搬送後に伝熱フィン７４に加わるおそれのある力とは、例えば設置作業者自身や、設置作業者が有する工具等の接触に伴う力である）。つまり、伝熱フィン７４の第１部分７４ａ、第２部分７４ｂ及び第３部分７４ｃの外側には、室外ユニット２の設置現場への搬送後、室外ユニット２に対する配管接続作業時まで、側面保護材５０が装着されたままの状態で維持されることが好ましい。
【００７６】
一方で、側面保護材５０が存在している場合、伝熱フィン７４の第１部分７４ａ、第２部分７４ｂ及び第３部分７４ｃが隣接する空気取込口４０ａ１，４０ａ２，４０ａ３からの空気の取り込みが阻害される。そのため、側面保護材５０は、試運転を含め、熱源側ファン１５が運転されるまでに（例えば、空気調和装置１が試運転されるまでに）取り外されることが好ましい。
【００７７】
＜側面保護材の材料＞
側面保護材５０は、室外ユニット２が設置現場において予定された設置位置に設置された後も、所定期間、室外ユニット２に装着されたままの状態となるため、降雨等の影響で水に濡れるおそれがある。そのため、少なくとも側面保護材５０の外側の面（外側面５０ａ）は防水性を有することが好ましい。側面保護材５０の外側面５０ａは、側面保護材５０が室外ユニット２に装着された状態で外側に配置される面を意味する。なお、側面保護材５０は、外側面５０ａに加え、他の部分（例えば、図示しない内側面（室外ユニット２に装着された状態で内側（熱源側熱交換器１１の伝熱フィン７４側）に配置される面）が防水性を有してもよい。また、側面保護材５０は、その全体が防水性を有してもよい。
【００７８】
なお、ここでは、“防水性”という語には、耐水性及び撥水性の両方の意味を含むものとする。
【００７９】
側面保護材５０は、材料を限定するものではないが、空気調和装置１の運転時には不要となる部材であるため、廃棄処分が容易な紙製であることが好ましい。側面保護材５０が紙製であるとは、側面保護材５０の全体が紙製である場合のほか、主に紙製である場合も含む。そして、少なくとも側面保護材５０の外側面５０ａが防水性を有するように、外側面５０ａは表面防水加工されていることが好ましい。特に好ましくは、側面保護材５０は、防水性のダンボール製であることが好ましい。側面保護材５０が防水性のダンボール製であるとは、側面保護材５０の全体が防水性のダンボール製である場合のほか、主に防水性のダンボール製である場合も含む。側面保護材５０にダンボールを用いることで、軽量であっても比較的大きな強度が得られやすい。
【００８０】
なお、側面保護材５０に比較的高い物理的強度を持たせるためには、その厚みは３ｍｍ以上であることが好ましい。より好ましくは、側面保護材５０の厚みは５ｍｍ以上であることが好ましい。なお、側面保護材５０がダンボール製である場合、側面保護材５０はダンボール紙を２枚以上重ねたものであってもよい。
【００８１】
なお、側面保護材５０は、その全体が同一材料で形成されているものでなくてもよい。例えば、側面保護材５０は、図８のように、主にはダンボール製であって、ダンボール板とダンボール板との接続に、ダンボールとは異なる材質の接続部材（例えば、接着テープＴ）が用いられていてもよい。
【００８２】
＜側面保護材の形状／構造＞
側面保護材５０は、図７のように、展開した状態でシート状になる一体形成された部材であることが好ましい。なお、一体形成された部材とは、図７のように継ぎ目なく一体に形成された部材であってもよいし、図８のように接続部材（例えば、接着テープや接着剤等）により接続されることで一体に形成された部材であってもよい。例えば、図８の例では、ハッチング部分が接着テープＴで接続されることで、側面保護材５０が一体に形成されている。
【００８３】
側面保護材５０は、熱源側熱交換器１１の熱交換部７０の伝熱フィン７４と対向する保護部５２ａ，５２ｂ，５２ｃと、保護部５２ａと保護部５２ｂとの間に設けられた折り曲げ部Ｂ１と、保護部５２ｂと保護部５２ｃとの間に設けられた折り曲げ部Ｂ２と、を有する（図７及び図８参照）。側面保護材５０が室外ユニット２に装着される際には、シート状の側面保護材５０は、折り曲げ部Ｂ１及び折り曲げ部Ｂ２で折り曲げられる。そして、折り曲げ部Ｂ１及び折り曲げ部Ｂ２で折り曲げられた側面保護材５０は、保護部５２ａがハウジング４０の右側面に、折り曲げ部Ｂ１がハウジング４０の右後方角部に、保護部５２ｂがハウジング４０の背面に、折り曲げ部Ｂ２がハウジング４０の左後方角部に、保護部５２ｃがハウジング４０の左側面に、それぞれ対向するように室外ユニット２に装着される（図４から図６参照）。その結果、保護部５２ａは、少なくともその一部が熱源側熱交換器１１の熱交換部７０の伝熱フィン７４の第１部分７４ａと対向する。保護部５２ｂは、少なくともその一部が熱源側熱交換器１１の熱交換部７０の伝熱フィン７４の第２部分７４ｂと対向する。保護部５２ｃは、少なくともその一部が熱源側熱交換器１１の熱交換部７０の伝熱フィン７４の第３部分７４ｃと対向する。
【００８４】
なお、側面保護材５０が室外ユニット２に装着された状態において、保護部５２ａ，５２ｂ，５２ｃは、少なくともその一部が外側に露出する。保護部５２ａ，５２ｂ，５２ｃが外側に露出しているとは、保護部５２ａ，５２ｂ，５２ｃの外側に部材が存在せず、保護部５２ａ，５２ｂ，５２ｃには外部から直接接触可能であることを意味する。また、保護部５２ａ，５２ｂ，５２ｃが外側に露出しているとは、例えば降雨時等には、保護部５２ａ，５２ｂ，５２ｃの外面（外側面５０ａ）に水が直接掛かり得ることを意味する。
【００８５】
また、側面保護材５０は、室外ユニット２に装着された状態で、保護部５２ａから下方に延びる下方延伸部５４ａと、保護部５２ａから上方に延びる上方延伸部５６ａと、を有する。
【００８６】
下方延伸部５４ａは、側面保護材５０が室外ユニット２に装着された状態で、室外ユニット２の右前方側に配置される（図４参照）。下方延伸部５４ａの前後方向の長さは、例えば、保護部５２ａの前後方向の長さの半分以下である。下方延伸部５４ａは、側面保護材５０が室外ユニット２に装着された状態で、室外ユニット２の前後方向の中心よりも前方に配置される。側面保護材５０を室外ユニット２に装着する際には、下方延伸部５４ａは、熱源側熱交換器１１とハウジング４０（例えば、底フレーム４２）の内面との間に挿し込まれる。なお、ここで、熱源側熱交換器１１とハウジング４０の内面との間に下方延伸部５４ａが挿し込まれるとは、平面視において、熱源側熱交換器１１の外面（伝熱フィン７４の第１部分７４ａの外面）と、ハウジング４０の内面との間に下方延伸部５４ａが挿し込まれることを意味する。また、ここで、熱源側熱交換器１１とハウジング４０の内面との間に下方延伸部５４ａが挿し込まれた状態には、挿し込まれる下方延伸部５４ａと伝熱フィン７４の第１部分７４ａの外面との間に他の部材が存在する状態を含み、また挿し込まれる下方延伸部５４ａとハウジング４０の内面との間に他の部材が存在する状態を含む。下方延伸部５４ａを熱源側熱交換器１１とハウジング４０の内面との間に挿し込むことで、側面保護材５０の右下部を室外ユニット２に固定することができる。
【００８７】
上方延伸部５６ａは、側面保護材５０が室外ユニット２に装着された状態で、室外ユニット２の前方側から後方側まで延びる（図４参照）。上方延伸部５６ａの前後方向の長さは、保護部５２ａの前後方向の長さの好ましくは６割以上、より好ましくは８割以上で、かつ、保護部５２ａの前後方向の長さ以下である。なお、側面保護材５０を室外ユニット２に装着する際には、上方延伸部５６ａは、熱源側熱交換器１１とハウジング４０（例えば、ファンモジュール４４の箱体）の内面との間に挿し込まれる。なお、ここで、熱源側熱交換器１１とハウジング４０の内面との間に上方延伸部５６ａが挿し込まれるとは、平面視において、熱源側熱交換器１１の外面（伝熱フィン７４の第１部分７４ａの外面）と、ハウジング４０の内面との間に上方延伸部５６ａが挿し込まれることを意味する。また、ここで熱源側熱交換器１１とハウジング４０の内面との間に上方延伸部５６ａが挿し込まれた状態には、挿し込まれる上方延伸部５６ａと伝熱フィン７４の第１部分７４ａの外面との間に他の部材が存在する状態を含み、また、挿し込まれる上方延伸部５６ａとハウジング４０の内面との間に他の部材が存在する状態を含む。上方延伸部５６ａを熱源側熱交換器１１とハウジング４０の内面との間に挿し込むことで、側面保護材５０の右上部を室外ユニット２に固定することができる。特にここでは、前後方向に比較的長い上方延伸部５６ａを熱源側熱交換器１１とハウジング４０の内面との間に挿し込むことで、側面保護材５０の右上部を室外ユニット２にしっかりと固定することが可能である。
【００８８】
また、側面保護材５０は、室外ユニット２に装着された状態で、保護部５２ｂから下方に延びる下方延伸部５４ｂと、保護部５２ｂから上方に延びる上方延伸部５６ｂと、を有する。
【００８９】
下方延伸部５４ｂは、側面保護材５０が室外ユニット２に装着された状態で、室外ユニット２の左右方向における中央部に配置される（図５参照）。ここでは、下方延伸部５４ｂは図５のように２つに分かれている。ただし、下方延伸部５４ｂは２つに分かれていなくてもよい。下方延伸部５４ｂ全体の左右方向の長さは、例えば、保護部５２ｂの左右方向の長さの半分以下である。側面保護材５０を室外ユニット２に装着する際には、下方延伸部５４ｂは、熱源側熱交換器１１とハウジング４０（例えば、底フレーム４２）の内面との間に挿し込まれる。なお、ここで、熱源側熱交換器１１とハウジング４０の内面との間に下方延伸部５４ｂが挿し込まれるとは、平面視において、熱源側熱交換器１１の外面（伝熱フィン７４の第２部分７４ｂの外面）と、ハウジング４０の内面との間に下方延伸部５４ｂが挿し込まれることを意味する。また、ここで、熱源側熱交換器１１とハウジング４０の内面との間に下方延伸部５４ｂが挿し込まれた状態には、挿し込まれる下方延伸部５４ｂと伝熱フィン７４の第２部分７４ｂの外面との間に他の部材が存在する状態を含み、また挿し込まれる下方延伸部５４ｂとハウジング４０の内面との間に他の部材が存在する状態を含む。下方延伸部５４ｂを熱源側熱交換器１１とハウジング４０の内面との間に挿し込むことで、側面保護材５０の背面下方部を室外ユニット２に固定することができる。
【００９０】
上方延伸部５６ｂは、側面保護材５０が室外ユニット２に装着された状態で、室外ユニット２の左右方向の端部の２箇所に配置される（図５参照）。各上方延伸部５６ｂは、図７及び図８に示されるように、上方延伸部５６ａや、後述する上方延伸部５６ｃよりも上方まで延びる（各上方延伸部５６ｂの上端は、上方延伸部５６ａ及び上方延伸部５６ｃの上端よりも上方に位置する）。各上方延伸部５６ｂの左右方向の長さは、保護部５２ａの左右方向の長さの好ましくは１割以下である。なお、側面保護材５０を室外ユニット２に装着する際には、上方延伸部５６ｂは、熱源側熱交換器１１とハウジング４０（例えば、ファンモジュール４４の箱体）の内面との間に挿し込まれる。なお、ここで、熱源側熱交換器１１とハウジング４０の内面との間に上方延伸部５６ｂが挿し込まれるとは、平面視において、熱源側熱交換器１１の外面（伝熱フィン７４の第２部分７４ｂの外面）と、ハウジング４０の内面との間に上方延伸部５６ｂが挿し込まれることを意味する。また、ここで、熱源側熱交換器１１とハウジング４０の内面との間に上方延伸部５６ｂが挿し込まれた状態には、挿し込まれる上方延伸部５６ｂと伝熱フィン７４の第１部分７４ａの外面との間に他の部材が存在する状態を含み、また、挿し込まれる上方延伸部５６ｂとハウジング４０の内面との間に他の部材が存在する状態を含む。上方延伸部５６ｂを熱源側熱交換器１１とハウジング４０の内面との間に挿し込むことで、側面保護材５０の背面上部を室外ユニット２に固定することができる。
【００９１】
また、側面保護材５０は、室外ユニット２に装着された状態で、保護部５２ｃから下方に延びる下方延伸部５４ｃと、保護部５２ｃから上方に延びる上方延伸部５６ｃと、を有する。
【００９２】
下方延伸部５４ｃは、側面保護材５０が室外ユニット２に装着された状態で、左側板４５ｂ近傍に配置される（図６参照）。下方延伸部５４ｃの前後方向の長さは、例えば、保護部５２ｃの前後方向の長さの半分以下である。側面保護材５０を室外ユニット２に装着する際には、下方延伸部５４ｃは、熱源側熱交換器１１とハウジング４０（例えば、底フレーム４２）の内面との間に挿し込まれる。なお、ここで、熱源側熱交換器１１とハウジング４０の内面との間に下方延伸部５４ｃが挿し込まれるとは、平面視において、熱源側熱交換器１１の外面（伝熱フィン７４の第３部分７４ｃの外面）と、ハウジング４０の内面との間に下方延伸部５４ｃが挿し込まれることを意味する。また、ここで、熱源側熱交換器１１とハウジング４０の内面との間に下方延伸部５４ｃが挿し込まれた状態には、挿し込まれる下方延伸部５４ｃと伝熱フィン７４の第３部分７４ｃの外面との間に他の部材が存在する状態を含み、また挿し込まれる下方延伸部５４ｃとハウジング４０の内面との間に他の部材が存在する状態を含む。下方延伸部５４ｃを熱源側熱交換器１１とハウジング４０の内面との間に挿し込むことで、側面保護材５０の左下部を室外ユニット２に固定することができる。
【００９３】
上方延伸部５６ｃは、側面保護材５０が室外ユニット２に装着された状態で、左側板４５ｂ近傍から室外ユニット２の後方側まで延びる（図６参照）。上方延伸部５６ｃの前後方向の長さは、保護部５２ｃの前後方向の長さの好ましくは６割以上、より好ましくは８割以上で、かつ、保護部５２ｃの前後方向の長さ以下である。なお、側面保護材５０を室外ユニット２に装着する際には、上方延伸部５６ｃは、熱源側熱交換器１１とハウジング４０（例えば、ファンモジュール４４の箱体）の内面との間に挿し込まれる。なお、ここで、熱源側熱交換器１１とハウジング４０の内面との間に上方延伸部５６ｃが挿し込まれるとは、平面視において、熱源側熱交換器１１の外面（伝熱フィン７４の第３部分７４ｃの外面）と、ハウジング４０の内面との間に上方延伸部５６ｃが挿し込まれることを意味する。また、ここで熱源側熱交換器１１とハウジング４０の内面との間に上方延伸部５６ｃが挿し込まれた状態には、挿し込まれる上方延伸部５６ｃと伝熱フィン７４の第３部分７４ｃの外面との間に他の部材が存在する状態を含み、また、挿し込まれる上方延伸部５６ｃとハウジング４０の内面との間に他の部材が存在する状態を含む。上方延伸部５６ｃを熱源側熱交換器１１とハウジング４０の内面との間に挿し込むことで、側面保護材５０の右上部を室外ユニット２に固定することができる。特にここでは、前後方向に比較的長い上方延伸部５６ｃを熱源側熱交換器１１とハウジング４０の内面との間に挿し込むことで、側面保護材５０の左上部を室外ユニット２にしっかりと固定することが可能である。
【００９４】
側面保護材５０の、背面側の左右端部付近及び左側面及び右側面の後方側には、作業者が手を掛けるための把持部５８が設けられている（図４から図６参照）。把持部５８は、側面保護材５０に形成された穴である。
【００９５】
作業者は、把持部５８を利用して、例えば、以下の様にして側面保護材５０を取り外す。作業者は、室外ユニット２の後方に立ち、把持部５８に手をかけて上方に少し持ち上げて下方延伸部５４ａ，５４ｂ，５４ｃを熱源側熱交換器１１とハウジング４０の内面との間から抜き出す。作業者は、その後、把持部５８を把持し、図１０のように側面保護材５０を少し前方に傾けつつ後方に引っ張ることで、側面保護材５０を室外ユニット２から取り外す。
【００９６】
作業者は、このようにして、室外ユニット２の後方側から、側面保護材５０全体を一度に取り外すことができる。そのため、空気調和装置１を構成する複数の室外ユニット２が左右の間隔を詰めて設置されているような場合（図１１参照）であっても、背面側にスペースがあれば、作業者は容易に側面保護材５０の取り外しを行うことができる。
【００９７】
（４−２）天面保護材
＜天面保護材の機能＞
天面保護材６０は、ハウジング４０の天面を覆い、ハウジング４０の天面を保護する部材である。
【００９８】
特に、天面保護材６０は、搬送時にハウジング４０の天面を保護する部材である。天面保護材６０は、製造工場や倉庫等の出荷地点等において、図９のように、室外ユニット２の天面に装着される（室外ユニット２の天面に被せられる）。天面保護材６０は、室外ユニット２の設置現場への搬送後、設置時に取り外される。
【００９９】
＜天面保護材の材料＞
天面保護材６０は、室外ユニット２の搬送後は、概ねすぐに取り外されるので、特に防水性を有していなくてもよい。
【０１００】
天面保護材６０は、空気調和装置１の運転時には不要となる部材であるため、廃棄処分の容易な紙製、より好ましくはダンボール製であることが好ましい。天面保護材６０が、紙製（より好ましくはダンボール製）である場合、上述の理由から、天面保護材６０に用いられる紙（ダンボール）は防水性を有していなくてもよい（非防水性であってもよい）。なお、天面保護材６０は、全体が同一材料で製造されていなくてもよく、例えば物理的な強度の観点等から、一部に紙以外の材料（例えば木材等）が用いられてもよい。
【０１０１】
＜天面保護材の構造＞
天面保護材６０は、平面視において矩形状に形成された蓋状の部材である。天面保護材６０は、ハウジング４０の上部の外面に嵌合するような形状に形成されている。
【０１０２】
（５）特徴
（５−１）
上記実施形態の空気調和装置１の室外ユニット２は、伝熱フィン７４を有する熱源側熱交換器１１と、熱源側熱交換器１１を収容するハウジング４０と、側面保護材５０と、を備える。空気調和装置１は冷凍装置の一例であり、熱源側熱交換器１１は熱交換器の一例であり、側面保護材５０は第１部材の一例である。側面保護材５０は、搬送時の伝熱フィン７４の変形を防止するために、ハウジング４０の側面において露出する伝熱フィン７４の外側に配置される。側面保護材５０の少なくとも外側の面（外側面５０ａ）は、防水性を有する。
【０１０３】
ここでは、側面保護材５０が防水性を有するため、室外ユニット２が設置現場に到着した後も、降雨などの水の影響を受けず側面保護材５０で伝熱フィン７４の保護を図ることができる。そのため、室外ユニット２の設置現場到着後に伝熱フィン７４を養生するための別部材が不要であり、また、そのような別部材を設置現場で室外ユニット２に取り付ける作業が不要となる。つまり、本空気調和装置１の室外ユニット２では、伝熱フィン７４の保護のために必要なコストや作業を低減することができる。
【０１０４】
（５−２）
上記実施形態の空気調和装置１の室外ユニット２では、側面保護材５０は紙製で、側面保護材５０の少なくとも外側面５０ａは表面防水加工されている。
【０１０５】
ここでは、側面保護材５０が紙製であるため、側面保護材５０のコストを抑制可能で、又、使用後の側面保護材５０の廃棄処分費用も抑制することができる。
【０１０６】
（５−３）
上記実施形態の空気調和装置１の室外ユニット２では、側面保護材５０は、防水性ダンボール製である。
【０１０７】
ここでは、側面保護材５０が防水性ダンボール製であるため、軽量で比較的高い強度の側面保護材５０を実現することができる。
【０１０８】
（５−４）
上記実施形態の空気調和装置１の室外ユニット２は、側面保護材５０とは別の天面保護材６０を備える。天面保護材６０は、第２保護材の一例である。天面保護材６０は、ハウジング４０の天面を覆う。天面保護材６０は、非防水性である。
【０１０９】
ここでは、搬送中にハウジング４０の天面側を保護する一方で搬送後には不要となる天面保護材６０に非防水性の材料を用いることで、室外ユニット２の費用（室外ユニット２の梱包／保護用の部材の費用）を抑制することができる。
【０１１０】
（５−５）
上記実施形態の空気調和装置１の室外ユニット２では、側面保護材５０は、室外ユニット２の設置現場への搬送後、少なくとも室外ユニット２に対する配管接続作業時まで伝熱フィン７４の外側に配置される。天面保護材６０は、室外ユニット２の設置現場への搬送後、設置時に取り外される。
【０１１１】
ここでは、側面保護材５０が設置現場への搬送時から室外ユニット２に対する配管接続作業時まで室外ユニット２に装着されているため、設置現場での作業を特に要すること無く、熱源側熱交換器１１の伝熱フィン７４を保護することができる。
【０１１２】
（５−６）
上記実施形態の空気調和装置１の室外ユニット２では、ハウジング４０は四角柱形状である。熱源側熱交換器１１の伝熱フィン７４は、ハウジング４０の３つの側面（左側面、背面、右側面）で露出する。側面保護材５０は、一体形成された部材である。側面保護材５０は、ハウジング４０の熱源側熱交換器１１の伝熱フィン７４が露出している３つの側面で、伝熱フィン７４の外側に配置される。
【０１１３】
ここでは、側面保護材５０が一体形成された部材であるので、ハウジング４０の３つの側面で熱源側熱交換器１１の伝熱フィン７４が露出している場合であっても、室外ユニット２の運転開始前に不要になった側面保護材５０を効率よく取り外すことができる。
【０１１４】
（５−７）
上記実施形態の空気調和装置１の室外ユニット２では、側面保護材５０は、伝熱フィン７４と対向するとともに外側に露出する保護部５２ａ，５２ｂ，５２ｃと、保護部５２ａ，５２ｂ，５２ｃのそれぞれから上方に延びる上方延伸部５６ａ，５６ｂ，５６ｃと、を有する。上方延伸部５６ａ，５６ｂ，５６ｃは、熱源側熱交換器１１とハウジング４０の内面との間に挿し込まれる。
【０１１５】
ここでは、上方延伸部５６ａ，５６ｂ，５６ｃを熱源側熱交換器１１とハウジング４０の内面との間に挿入することで、側面保護材５０を容易にハウジング４０に固定することができる。
【０１１６】
また、ここでは、保護部５２ａ，５２ｂ，５２ｃから上方に延びる上方延伸部５６ａ，５６ｂ，５６ｃがハウジング４０の内側に配置されるため、側面保護材５０の上端面が水に濡れにくい。そのため、側面保護材５０の全体が防水性でない場合であっても（側面保護材５０の上端面に防水性が無くても）、側面保護材５０の劣化を抑制できる。
【０１１７】
（６）変形例
上記実施形態は、例えば以下の変形例に示すように、適宜変形が可能である。なお、各変形例は、互いに矛盾しない範囲で他の変形例と適宜組み合わされて適用されてもよい。
【０１１８】
（６−１）変形例Ａ
上記実施形態では、側面保護材５０はハウジング４０の３つの側面（右側面、背面及び左側面）で熱源側熱交換器１１の伝熱フィン７４の外側に配置される一体形成された部材であるが、これに限定されるものではない。例えば、側面保護材５０は、ハウジング４０の３つの側面のいずれかにおいて熱源側熱交換器１１の伝熱フィン７４の外側に配置される、それぞれ独立した複数の（例えば３つの）部材を有するものであってもよい。また、例えば、側面保護材５０は、ハウジング４０の２つの側面（例えば右側面と背面）において熱源側熱交換器１１の伝熱フィン７４の外側に配置される部材と、ハウジング４０の他の１つの側面（例えば左側面）において熱源側熱交換器１１の伝熱フィン７４の外側に配置される部材と、を有するものであってもよい。
【０１１９】
ただし、取り外し作業の作業性の観点からは、側面保護材５０は一体形成された単一の部材であることが好ましい。
【０１２０】
（６−２）変形例Ｂ
上記実施形態では、熱源側熱交換器１１の伝熱フィン７４は、四角柱状のハウジング４０の３つの側面（右側面、背面、及び左側面）において露出しているが、これに限定されるものではない。
【０１２１】
例えば、設計に応じて、熱源側熱交換器１１の伝熱フィン７４は、ハウジング４０の２つ以下の側面又は４つの側面において露出していてもよい。そして、側面保護材５０の形状は、ハウジング４０における熱源側熱交換器１１の伝熱フィン７４の露出状態に応じて適宜変更されればよい。
【０１２２】
（６−３）変形例Ｃ
上記実施形態では、ハウジング４０は四角柱状であるが、これに限定されるものではない。ハウジングの形状は適宜決定されればよい。
【０１２３】
（６−４）変形例Ｄ
上記実施形態では、側面保護材５０は、それぞれが、ハウジング４０の３つの側面（右側面、背面及び左側面）のいずれかで熱源側熱交換器１１の伝熱フィン７４の外側に配置される、３つの保護部５２ａ，５２ｂ，５２ｃを有する。そして、３つの保護部５２ａ，５２ｂ，５２ｃのうち、両端の（ハウジング４０の右側面及び左側面に対向するように配置される）２つの保護部５２ａ，５２ｃから上方に延びる上方延伸部５６ａ，５６ｃの前後方向の長さは、保護部５２ａ，５２ｃの前後方向の長さに対して比較的長く形成されている。一方で、３つの保護部５２ａ，５２ｂ，５２ｃのうち、真ん中の（ハウジング４０の背面に対向するように配置される）保護部５２ｂから上方に延びる上方延伸部５６ｂの左右方向の長さは、保護部５２ｂの左右方向の長さに対して比較的短く形成されている。
【０１２４】
ただし、上方延伸部５６ａ，５６ｃの前後方向の長さや、上方延伸部５６ｂの左右方向の長さは、適宜決定されればよい。例えば、上方延伸部５６ａ，５６ｃの前後方向の長さは、保護部５２ａ，５２ｃの前後方向の長さに対して比較的短く（例えば保護部５２ａ，５２ｃの前後方向の長さの半分以下に）形成されてもよい。また、上方延伸部５６ｂの左右方向の長さは、保護部５２ｂの左右方向の長さに対して比較的長く（例えば保護部５２ｂの前後方向の長さの半分以上に）形成されてもよい。
【０１２５】
その他、上方延伸部５６ａ，５６ｂ，５６ｃ及び下方延伸部５４ａ，５４ｂ，５４ｃの形状、大きさや、上方延伸部５６ａ，５６ｂ，５６ｃ及び下方延伸部５４ａ，５４ｂ，５４ｃの保護部５２ａ，５２ｂ，５２ｃに対する配置は、適宜設計されればよい。
【０１２６】
（６−５）変形例Ｅ
上記実施形態では、空気調和装置１は、冷房運転及び暖房運転の両方を実行可能な装置である。ただし、これに限定されるものではなく、例えば、本開示の冷凍装置は、冷房運転又は暖房運転のみを行う空気調和装置であってもよい。
【０１２７】
（６−６）変形例Ｆ
上記実施形態では、空気調和装置１の室外ユニット２を例に冷凍装置の室外ユニットを説明したが、上記実施形態の特徴が他の種類の冷凍装置の室外ユニットに適用されてもよい。例えば、上記実施形態の特徴が、冷凍装置の一例としての給湯装置の室外ユニットに適用されてもよい。
【０１２８】
（６−７）変形例Ｇ
上記実施形態では、室外ユニット２は上吹き型のユニットであり、室外ユニット２の側面側から空気が吸い込まれ、室外ユニット２の上部から上方に空気が吹き出される。しかし、室外ユニット２は、上吹き型に限定されるものではなく、例えば、横吹き型のユニットであってもよい。
【０１２９】
以上、本開示の実施形態及び変形例を説明したが、特許請求の範囲に記載された本開示の趣旨及び範囲から逸脱することなく、形態や詳細の多様な変更が可能なことが理解されるであろう。
【産業上の利用可能性】
【０１３０】
本開示は、冷凍装置の室外ユニットに広く適用でき有用である。
【符号の説明】
【０１３１】
１                      空気調和装置（冷凍装置）
２                      室外ユニット
１１                    熱源側熱交換器（熱交換器）
４０                    ハウジング
５０                    側面保護材（第１保護材）
５０ａ                  外側面（側面保護材の外側の面）
５２ａ，５２ｂ，５２ｃ  保護部
５６ａ，５６ｂ，５６ｃ  上方延伸部（延伸部）
６０                    天面保護材（第２保護材）
７４                    伝熱フィン
【先行技術文献】
【特許文献】
【０１３２】
【特許文献１】特開２００６−１２３９５６号公報
【図１】
2019148358.tif 000003
【図２】
2019148358.tif 000004
【図３】
2019148358.tif 000005
【図４】
2019148358.tif 000006
【図５】
2019148358.tif 000007
【図６】
2019148358.tif 000008
【図７】
2019148358.tif 000009
【図８】
2019148358.tif 000010
【図９】
2019148358.tif 000011
【図１０】
2019148358.tif 000012
【図１１】
2019148358.tif 000013